(57)【要約】【課題】通信開始時に基地局装置から移動局装置に送信する情報を少なくすること、速やかに通信を開始することができる通信システム、基地局装置、移動局装置及び通信方法を提供する。【解決手段】移動通信システムにおける移動局装置であって、上りリンクグラントの情報抽出処理を行う物理層と、ランダムアクセス応答に含まれる前記上りリンクグラントを取得し、前記物理層に通知するＭＡＣ層と、を備え、前記ＭＡＣ層は、前記ランダムアクセス応答に含まれる前記上りリンクグラントに含まれるリソース割り当てフィールドのビットが全て１である場合に、前記上りリンクグラントを物理層に通知しないことを特徴とする。【選択図】図６
2010098707.tif 000002
【特許請求の範囲】
【請求項１】
移動通信システムにおける移動局装置であって、
上りリンクグラントの情報抽出処理を行う物理層と、
ランダムアクセス応答に含まれる前記上りリンクグラントを取得し、前記物理層に通知するＭＡＣ層と、を備え、
前記ＭＡＣ層は、前記ランダムアクセス応答に含まれる前記上りリンクグラントに含まれるリソース割り当てフィールドのビットが全て１である場合に、前記上りリンクグラントを物理層に通知しないことを特徴とする移動局装置。
【請求項２】
移動通信システムにおける移動局装置であって、
上りリンクグラントの情報抽出処理を行う物理層と
ランダムアクセス応答に含まれる前記上りリンクグラントを取得し、前記物理層に通知するＭＡＣ層を備え、
前記物理層は、基地局装置との間のランダムアクセス応答に含まれる上りリンクグラントに含まれるリソース割り当てフィールドを、システム帯域幅および上りリンクでサポートされるシステム帯域幅の種類の最大のシステム帯域幅および連続して割り当て可能なリソースブロック長を元に解釈し、上りリンクの送信に使用するリソースを特定することを特徴とする移動局装置。
【請求項３】
移動通信システムにおける移動局装置であって、
上りリンクグラントの情報抽出処理を行う物理層と
ランダムアクセス応答に含まれる前記上りリンクグラントを取得し、前記物理層に通知するＭＡＣ層を備え、
前記物理層は、基地局装置との間のランダムアクセス応答に含まれる上りリンクグラントに含まれるリソース割り当てフィールドを、開始リソースブロック位置の指定可能な単位を示すステップサイズを元に解釈し、
上りリンクの送信に使用するリソースを特定することを特徴とする移動局装置。
【請求項４】
上りリンクの送信に使用するリソースを特定する情報のビット数を認識および解釈し、
上りリンクの送信に使用するリソースを特定することを特徴とする請求項３に記載の移動局装置。
【請求項５】
上りリンクグラントに含まれるリソース割り当ての方法を示す第１のフラグが所定の値の場合に、システム帯域幅を元に、リソース割り当ての方法を示す第２のフラグおよび第２のフラグのビット数を認識および解釈し、
上りリンクの送信に使用するリソースを特定することを特徴とする請求項４に記載の移動局装置。
【請求項６】
前記リソース割り当てフィールドを構成する前記第２のフラグのビットと前記上りリンクの送信に使用するリソースを特定する情報のビットの和が、リソース割り当てフィールドのビット数よりも少ないと判断した場合、前記リソース割り当てフィールドのビット数と同じビット数になるまで０が挿入されていると解釈し、
上りリンクの送信に使用するリソースを特定することを特徴とする請求項５に記載の移動局装置。
【請求項７】
前記リソース割り当てフィールドを構成する前記第２のフラグのビットと前記上りリンクの送信に使用するリソースを特定する情報のビットの和が、リソース割り当てフィールドのために確保されたビット数よりも多いと判断した場合、前記リソース割り当てフィールドのために確保されたビット数と同じビット数になるまで前記上りリンクの送信に使用するリソースを特定する情報のビットの上位ビットが省略されており、前記省略された上位ビットは値が０と解釈し、
上りリンクの送信に使用するリソースを特定することを特徴とする請求項５に記載の移動局装置。
【請求項８】
前記ステップサイズは、３であることを特徴とする請求項３に記載の移動局装置。
【請求項９】
移動通信システムにおける基地局装置であって、
移動局装置へのランダムアクセス応答に含まれる上りリンクグラントに含まれるリソース割り当てフィールドを、システム帯域幅および上りリンクでサポートされるシステム帯域幅の種類の最大のシステム帯域幅および連続して割り当て可能なリソースブロック長を元に生成し、前記移動局装置が上りリンクの送信に使用するリソースを指定することを特徴とする基地局装置。
【請求項１０】
移動通信システムにおける基地局装置であって、
移動局装置へのランダムアクセス応答に含まれる上りリンクグラントに含まれるリソース割り当てフィールドを、開始リソースブロック位置の指定可能な単位を示すステップサイズを元に生成し、
前記移動局装置が上りリンクの送信に使用するリソースを指定することを特徴とする基地局装置。
【請求項１１】
移動通信システムにおける移動局装置であって、
上りリンクグラントの情報抽出処理を行う物理層と、
ランダムアクセス応答に含まれる前記上りリンクグラントを取得し、前記物理層に通知するＭＡＣ層と、を備え、
前記物理層は、前記ランダムアクセス応答に含まれる上りリンクグラントに含まれるリソース割り当てフィールドに下位ビットを付与して上りリンクの送信に使用するリソースを特定する情報のビット列と解釈し、
上りリンクの送信に使用するリソースを特定することを特徴とする移動局装置。
【請求項１２】
移動通信システムにおける基地局装置であって、
移動局装置へのランダムアクセス応答に含まれる上りリンクグラントに含まれるリソース割り当てフィールドを、前記ランダムアクセス応答に含まれる上りリンクグラントに含まれるリソース割り当てフィールドに下位ビットを付与すると上りリンクの送信に使用するリソースを特定する情報のビット列となるように生成し、
前記移動局装置が上りリンクの送信に使用するリソースを指定することを特徴とする基地局装置。
【発明の詳細な説明】
【技術分野】
【０００１】
本発明は、基地局装置、及び移動局装置に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡ（High Speed Downlink Packet Access）も標準化され、サービスが開始されようとしている。
【０００３】
一方、３ＧＰＰでは、第三世代無線アクセスの進化（Evolved Universal Terrestrial Radio Access；以下、「ＥＵＴＲＡ」と呼称する。）が検討されている。ＥＵＴＲＡの下りリンクとして、ＯＦＤＭ（Orthogonal Frequency Division Multiplexing）方式が提案されている。また、ＥＵＴＲＡの上りリンクとして、ＤＦＴ（Discrete Fourier Transform）−ｓｐｒｅａｄ  ＯＦＤＭ方式のシングルキャリア通信方式が提案されている（下記非特許文献１参照）。
【０００４】
図７は、従来の無線通信システムで用いられているチャネル構成の一例を示す図であり、基地局装置（ＢＳ）と移動局装置（ＭＳ１〜３）との通信を行う例を示す図である。図７に示すように、ＥＵＴＲＡにおいて、下りリンクでは、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）が用いられる。
【０００５】
また、図７に示すように、ＥＵＴＲＡにおいて、移動局装置２０００ａ〜２０００ｃから基地局装置１０００へ信号を送信する上りリンクでは、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）が用いられる。
【０００６】
物理ランダムアクセスチャネルＰＲＡＣＨには、競合ベースランダムアクセス（Contention based Random Access）と非競合ベースランダムアクセス（Non-contention based Random Access）との２つのアクセス方法があり、競合ベースランダムアクセスは、移動局装置間で衝突する可能性のあるランダムアクセスであり、通常行なわれるランダムアクセスである。非競合ベースランダムアクセスは、移動局装置間で衝突が発生しないランダムアクセスであり、迅速に移動局装置−基地局装置間の同期をとるためにハンドオーバー等の特別な場合に基地局装置主導で行なわれる。尚、基地局装置は、移動局装置に非競合ベースランダムアクセスを実行させることができない場合は、競合ベースランダムアクセスを移動局装置に実行させる場合もある。
【０００７】
物理ランダムアクセスチャネルＰＲＡＣＨでは、同期をとるためにランダムアクセスプリアンブルのみ送信する。ランダムアクセスプリアンブルには、情報を表す信号パターンが含まれ、数十種類のランダムアクセスプリアンブルを用意して数ビットの情報を表現することができる。現在では、６ビットの情報を送信することが想定され、６４種類のランダムアクセスプリアンブルが用意されることが想定されている。６ビットの情報は、５ビットがランダムＩＤ、残りの１ビットが下りリンクのパスロス／ＣＱＩなどのような情報を割り当てるように想定されている。
【０００８】
図１４は、競合ベースランダムアクセスの手順の例を示す図であり、図１５は、非競合ベースランダムアクセスの手順の例を示す図である。また、図１６は、ランダムアクセス応答のフォーマット例を示す図である。図１４において、移動局装置が、ランダムＩＤ、下りリンクのパスロス／ＣＱＩ情報などから、ランダムアクセスプリアンブルを選択し、物理ランダムアクセスチャネルＰＲＡＣＨでランダムアクセスプリアンブルを送信する（メッセージ１（Ｍａ１））。
【０００９】
基地局装置は、移動局装置からのランダムアクセスプリアンブルを受信すると、ランダムアクセスプリアンブルから移動局装置と基地局装置との間の同期タイミングずれ量を算出し、Ｌ２／Ｌ３（Layer2/Layer3）メッセージを送信するためスケジューリングを行ない、Ｔｅｍｐｏｒａｒｙ  Ｃ−ＲＮＴＩ（Temporary Cell-Radio Network Temporary Identity）を割り当てる。そして、物理下りリンク制御チャネルＰＤＣＣＨに物理ランダムアクセスチャネルＰＲＡＣＨにランダムアクセスプリアンブルを送信した移動局装置群宛の応答を示すＲＡ−ＲＮＴＩ（Random Access-Radio Network Temporary Identity）を配置し、図１４に示す物理下りリンク共用チャネルＰＤＳＣＨに算出したタイミング調整情報（Time Alignment Command）、メッセージ３の送信のための上りリンクリソースを指定する上りリンクグラント、Ｔｅｍｐｏｒａｒｙ  Ｃ−ＲＮＴＩおよび受信したランダムアクセスプリアンブルのランダムアクセスプリアンブル番号（またはランダムアクセスプリアンブルＩＤ）を含んだランダムアクセス応答を送信する（メッセージ２（Ｍａ２））。この時、基地局装置は、同期タイマーをスタートさせる。
【００１０】
移動局装置は、物理下りリンク制御チャネルＰＤＣＣＨにＲＡ−ＲＮＴＩがあることを確認すると、物理下りリンク共用チャネルＰＤＳＣＨに配置されたランダムアクセス応答の中身を確認し、送信したランダムアクセスプリアンブル番号が含まれる応答を抽出し、タイミング調整情報を取得して上りリンクの送信タイミングを補正し、同期タイマーをスタートさせ、上りリンクグラントでスケジューリングされた無線リソースで少なくともＣ−ＲＮＴＩ（またはコンテンションレゾリューションＩＤ）を含むＬ２／Ｌ３メッセージを送信する（メッセージ３（Ｍａ３））。基地局装置は、移動局装置からのＬ２／Ｌ３メッセージを受信すると、受信したＬ２／Ｌ３メッセージに含まれるＣ−ＲＮＴＩ（またはコンテンションレゾリューションＩＤ）を使用して移動局装置間で衝突が起こっているかどうか判断するためのコンテンションレゾリューションを移動局装置に送信する（メッセージ４（Ｍａ４））。移動局装置は、コンテンションレゾリューションで受信したＬ２／Ｌ３メッセージに含まれるＣ−ＲＮＴＩ（またはコンテンションレゾリューションＩＤ）が自身の送信したものかどうかによりランダムアクセス処理の成功か否かを判断する。
【００１１】
尚、上りリンクの同期中に行なう競合ベースランダムアクセスの場合、ランダムアクセス応答に含まれるタイミング調整情報を使用せず同期を補正しない場合がある。
【００１２】
図１５は、非競合ベースランダムアクセスの手順の例を示す図である。まず、基地局装置が、ランダムアクセスプリアンブル番号を選択し、移動局装置にランダムアクセスプリアンブル番号を物理下りリンク制御チャネルＰＤＣＣＨまたは物理下りリンク共用チャネルＰＤＳＣＨを通して通知する（メッセージ０（Ｍｂ０））。移動局装置は、通知されたランダムアクセスプリアンブル番号からランダムアクセスプリアンブルを生成し、物理ランダムアクセスチャネルＰＲＡＣＨでランダムアクセスプリアンブルを送信する（メッセージ１（Ｍｂ１））。
【００１３】
基地局装置は、移動局装置からのランダムアクセスプリアンブルを受信すると、ランダムアクセスプリアンブルから移動局装置と基地局装置との間の同期タイミングずれ量を算出し、ランダムアクセスプリアンブルを送信した移動局装置群宛の応答を示すＲＡ−ＲＮＴＩを物理下りリンク制御チャネルＰＤＣＣＨに配置し、算出したタイミング調整情報を含んだランダムアクセス応答を送信する（メッセージ２（Ｍｂ２））。この時、基地局装置は、同期タイマーをスタートさせる。移動局装置は、受信したランダムアクセス応答に、メッセージ０で基地局装置から指定されたランダムアクセスプリアンブル番号が含まれている場合、ランダムアクセス処理を成功したと判断し、タイミング調整情報を取得し、上りリンクの送信タイミングを補正し、同期タイマーをスタートさせ、上りリンクグラントでスケジューリングされた無線リソースでデータを送信する。
【００１４】
競合ベースランダムアクセスおよび非競合ベースランダムアクセス共に、ランダムアクセス応答で示される上りリンクグラントは、２０ビットで構成されている。ランダムアクセス応答で示される上りリンクグラントは、ランダムアクセス応答の受信サブフレームをＮ番とするとＮ＋６番またはＮ＋６番以降のサブフレームでの送信を指定する。変調符号化方式４ビット、物理上りリンク共用チャネルＰＵＳＣＨ用の送信電力制御情報4ビット、周波数ホッピングフラグ１ビット、ＣＱＩ（Ｃｈａｎｎｅｌ  Ｑｕａｌｉｔｙ  Ｉｎｄｉｃａｔｏｒ）要求1ビット、上りリンク遅延1ビット、リソースブロックのリソース割り当て９ビットで構成される。サブフレーム内のスロット間でホッピングが適用され、第１スロットでのリソース割り当てが指定されると、それに従って第2スロットでのリソースが定まる。
【００１５】
一方、通常の上りリンクの送信のグラントとして使用される物理下りリンク制御チャネルＰＤＣＣＨで示される上りリンクのリソースブロックのリソース割り当ては、システム帯域に依存して、以下のような式で与えられる。
【００１６】
物理下りリンク制御チャネルＰＤＣＣＨで示される上りリンクグラントは、物理下りリンク制御チャネルＰＤＣＣＨの受信サブフレームをＮ番とするとＮ＋４番のサブフレームでの送信を指定する。サブフレーム内のスロット間でホッピングが適用され、第１スロットでのリソース割り当てが指定されると、それに従って第2スロットでのリソースが定まる。第１スロットでのリソース割り当ては、以下のように定められる。上りリンクグラントに含まれるリソース割り当てフィールド（リソース割り当て領域）から特定されるリソース割り当てに使用されるビット列をＲＩＶ（Ｒｅｓｏｕｒｃｅ  Ｉｎｄｉｃａｔｉｏｎ  Ｖａｌｕｅ）、上りリンクのシステム帯域におけるリソースブロック数を
【００１７】
【数１】
2010098707.tif 000003
とすると、開始リソースブロック位置
【００１８】
【数２】
2010098707.tif 000004
、割り当てられた連続リソースブロック長
【００１９】
【数３】
2010098707.tif 000005
は、以下の式で与えられる。
【００２０】
図８Ａに、上りリンクグラントで割り当てられたリソースを示す。システム帯域幅を
【数４】
2010098707.tif 000006
（リソースブロックの数で表現される。）とする。
【００２１】
図８Ａに示すように、開始リソースブロック位置
【数５】
2010098707.tif 000007
とし、割り当てられた連続リソースブロック長
【００２２】
【数６】
2010098707.tif 000008
の斜線で示されたリソースブロックに連続したリソースが割り当てられる。
【００２３】
【数７】
2010098707.tif 000009
【００２４】
このとき、ＲＩＶのビット長は、以下の式で与えられる。
【数８】
2010098707.tif 000010
ビット
【００２５】
図１７にリソース割り当てフィールドの構成を示す。周波数ホッピングフラグ1ビットの値を１に設定しない場合、リソース割り当てフィールドのビットはＲＩＶだけで構成される。周波数ホッピングフラグ１ビットの値を１に設定した場合、周波数ホッピングのタイプを示す周波数ホッピングビットとして、リソース割り当てフィールドのビットの上位ビットから上りリンクのシステム帯域幅が４９リソースブロック以下の場合には１ビット、５０リソースブロック以上の場合には２ビットで構成し、残りのリソース割り当てフィールドのビットはＲＩＶの下位ビットを構成する。リソース割り当てフィールドからのリソース割り当てに使用されるビット列ＲＩＶを特定するときは、ＲＩＶの上位ビットとして周波数ホッピングビットとして使われたビット数だけ値が０のビットがあると解釈し、周波数ホッピングフラグに依存せず同じ方法でＲＩＶの解釈をする。すなわち、リソース割り当てフィールドで送信するＲＩＶの下位ビットのビット長はリソース割り当てフィールドのビット列から周波数ホッピングビットを引かれた残りのビットとなり、連続して割り当て可能なリソースブロック長が制限される。
【先行技術文献】
【非特許文献】
【００２６】
【非特許文献１】３ＧＰＰ  ＴＳ（Ｔｅｃｈｎｉｃａｌ  Ｓｐｅｃｉｆｉｃａｔｉｏｎ）３６.３００、Ｖ８.４.０（２００８−０３）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）;Ｏｖｅｒａｌｌ  ｄｅｓｃｒｉｐｔｉｏｎ；Ｓｔａｇｅ  ２（Ｒｅｌｅａｓｅ  ８）
【発明の概要】
【発明が解決しようとする課題】
【００２７】
しかしながら、従来から知られている無線通信システムにおいて、ランダムアクセス応答に含まれる上りリンクグラントのリソース割り当てフィールドのビット長は、システム帯域に依存せず２０ビット固定であるのに対して、物理下りリンク制御チャネルＰＤＣＣＨで指定される上りリンクグラントのリソース割り当てフィールドのビット長は、システム帯域に依存した値となる。さらに、ランダムアクセス応答に上りリンクグラントを含む必要がない場合（基地局装置から下りリンク通信再開時にランダムアクセスプリアンブル番号を指定した場合）には、ＮＵＬＬのグラントを示す必要がある。よって、物理下りリンク制御チャネルＰＤＣＣＨで指定される上りリンクグラントのリソース割り当てフィールドのフォーマットをランダムアクセス応答に含まれる上りリンクグラントに適用することは困難であった。
【００２８】
本発明は、上記事情に鑑みてなされたものであり、その目的は、ランダムアクセス時に基地局装置から移動局装置に送信するランダムアクセス応答に含まれる情報を一定にすることができ、速やかに通信を開始することができる通信システム、基地局装置、移動局装置及び通信方法を提供することにある。
【課題を解決するための手段】
【００２９】
本発明の一観点によれば、移動通信システムにおける移動局装置であって、上りリンクグラントの情報抽出処理を行う物理層と、ランダムアクセス応答に含まれる前記上りリンクグラントを取得し、前記物理層に通知するＭＡＣ層と、を備え、前記ＭＡＣ層は、前記ランダムアクセス応答に含まれる前記上りリンクグラントに含まれるリソース割り当てフィールドのビットが全て１である場合に、前記上りリンクグラントを物理層に通知しないことを特徴とする移動局装置が提供される。
【００３０】
また、移動通信システムにおける移動局装置であって、上りリンクグラントの情報抽出処理を行う物理層とンダムアクセス応答に含まれる前記上りリンクグラントを取得し、前記物理層に通知するＭＡＣ層を備え、前記物理層は、基地局装置との間のランダムアクセス応答に含まれる上りリンクグラントに含まれるリソース割り当てフィールドを、システム帯域幅および上りリンクでサポートされるシステム帯域幅の種類の最大のシステム帯域幅および連続して割り当て可能なリソースブロック長を元に解釈し、上りリンクの送信に使用するリソースを特定することを特徴とする移動局装置が提供される。
【００３１】
また、移動通信システムにおける移動局装置であって、上りリンクグラントの情報抽出処理を行う物理層とランダムアクセス応答に含まれる前記上りリンクグラントを取得し、前記物理層に通知するＭＡＣ層を備え、前記物理層は、基地局装置との間のランダムアクセス応答に含まれる上りリンクグラントに含まれるリソース割り当てフィールドを、開始リソースブロック位置の指定可能な単位を示すステップサイズを元に解釈し、上りリンクの送信に使用するリソースを特定することを特徴とする移動局装置が提供される。
【００３２】
上りリンクの送信に使用するリソースを特定する情報のビット数を認識および解釈し、上りリンクの送信に使用するリソースを特定することが好ましい。上りリンクグラントに含まれるリソース割り当ての方法を示す第１のフラグが所定の値の場合に、システム帯域幅を元に、リソース割り当ての方法を示す第２のフラグおよび第２のフラグのビット数を認識および解釈し、上りリンクの送信に使用するリソースを特定するようにしても良い。また、前記リソース割り当てフィールドを構成する前記第２のフラグのビットと前記上りリンクの送信に使用するリソースを特定する情報のビットの合計が、リソース割り当てフィールドのビット数よりも少ないと判断した場合、前記リソース割り当てフィールドのビット数と同じビット数になるまで０が挿入されていると解釈し、上りリンクの送信に使用するリソースを特定するようにしても良い。
【００３３】
前記リソース割り当てフィールドを構成する前記第２のフラグのビットと前記上りリンクの送信に使用するリソースを特定する情報のビットの合計が、リソース割り当てフィールドのために確保されたビット数よりも多いと判断した場合、前記リソース割り当てフィールドのために確保されたビット数と同じビット数になるまで前記上りリンクの送信に使用するリソースを特定する情報のビットの上位ビットが省略されており、前記省略された上位ビットは値が０と解釈し、上りリンクの送信に使用するリソースを特定するようにしても良い。尚、前記ステップサイズは、３であることが好ましい。
【００３４】
本発明の他の観点によれば、移動通信システムにおける基地局装置であって、移動局装置へのランダムアクセス応答に含まれる上りリンクグラントに含まれるリソース割り当てフィールドを、システム帯域幅および上りリンクでサポートされるシステム帯域幅の種類の最大のシステム帯域幅および連続して割り当て可能なリソースブロック長を元に生成し、前記移動局装置が上りリンクの送信に使用するリソースを指定することを特徴とする基地局装置が提供される。
【００３５】
また、移動通信システムにおける基地局装置であって、移動局装置へのランダムアクセス応答に含まれる上りリンクグラントに含まれるリソース割り当てフィールドを、開始リソースブロック位置の指定可能な単位を示すステップサイズを元に生成し、前記移動局装置が上りリンクの送信に使用するリソースを指定することを特徴とする基地局装置が提供される。
【００３６】
また、本発明の別の観点によれば、移動通信システムにおける移動局装置であって、上りリンクグラントの情報抽出処理を行う物理層と、ランダムアクセス応答に含まれる前記上りリンクグラントを取得し、前記物理層に通知するＭＡＣ層を備え、前記物理層は、前記ランダムアクセス応答に含まれる上りリンクグラントに含まれるリソース割り当てフィールドに下位ビットを付与して上りリンクの送信に使用するリソースを特定する情報のビット列と解釈し、上りリンクの送信に使用するリソースを特定することを特徴とする移動局装置が提供される。
【００３７】
さらに、移動通信システムにおける基地局装置であって、移動局装置へのランダムアクセス応答に含まれる上りリンクグラントに含まれるリソース割り当てフィールドを、前記ランダムアクセス応答に含まれる上りリンクグラントに含まれるリソース割り当てフィールドに下位ビットを付与して上りリンクの送信に使用するリソースを特定する情報のビット列となるように生成し、前記移動局装置が上りリンクの送信に使用するリソースを指定することを特徴とする基地局装置が提供される。
【発明の効果】
【００３８】
本発明によれば、ランダムアクセス時に基地局装置から移動局装置に送信するランダムアクセス応答に含まれる情報を一定にすることができ、速やかに通信を開始することができる。
【図面の簡単な説明】
【００３９】
【図１】本発明の第１の実施の形態による通信システムで用いる下りリンクのチャネルの構成を示す図である。
【図２】本発明の第１の実施の形態による通信システムで用いる上りリンクのチャネルの構成を示す図である。
【図３】本発明の第１の実施の形態による通信システムの下りリンクで用いるフレーム構成を示す図である。
【図４】本発明の第１の実施の形態による通信システムの上りリンクで用いるフレーム構成を示す図である。
【図５】本発明の第１の実施の形態による基地局装置１００の構成を示す概略ブロック図である。
【図６】本発明の第１の実施の形態による移動局装置２００の構成を示す概略ブロック図である。
【図７】従来の無線通信システムで用いられているチャネル構成を示す図である。
【図８Ａ】上りリンクグラントで割り当てられたリソースを示す概略的な図である。
【図８Ｂ】第１の方法による上りリンクグラントで割り当てられたリソースを示す概略的な図である。
【図８Ｃ】第２の方法による上りリンクグラントで割り当てられたリソースを示す概略的な図である。
【図８Ｄ】第３の方法による上りリンクグラントで割り当てられたリソースを示す概略的な図である。
【図８Ｅ】第４の方法による上りリンクグラントで割り当てられたリソースを示す概略的な図である。
【図９】第１の方法と第４の方法で用いられるリソース割り当てフィールドの構成を示す図である。
【図１０】第２の方法と第３の方法で用いられる周波数ホッピングビットを含まないリソース割り当てフィールドの構成を示す図である。
【図１１】第２の方法と第３の方法で用いられる周波数ホッピングビットを含むリソース割り当てフィールドの構成の１つ目の一例を示す図である。
【図１２】第２の方法と第３の方法で用いられる周波数ホッピングビットを含むリソース割り当てフィールドの構成の２つ目の一例を示す図である。
【図１３】第２の方法と第３の方法で用いられる周波数ホッピングビットを含むリソース割り当てフィールドの構成の３つ目の一例を示す図である。
【図１４】従来の無線通信システムで用いられる競合ベースランダムアクセス手順の一例を示す図である。
【図１５】従来の無線通信システムで用いられる非競合ベースランダムアクセス手順の一例を示す図である。
【図１６】従来の無線通信システムで用いられるランダムアクセス応答の情報の一例を示す図である。
【図１７】従来の無線通信システムで用いられるリソース割り当てフィールドの構成を示す図である。
【図１８】第２の方法で用いられる周波数ホッピングビットを含まないリソース割り当てフィールドの別の構成を示す図である。
【図１９】第２の方法で用いられる周波数ホッピングビットを含むリソース割り当てフィールドの別の構成を示す図である。
【発明を実施するための形態】
【００４０】
以下、図面を参照して、本発明の各実施の形態について図面を参照しながら説明する。まず始めに、本発明の第１の実施の形態について説明する。本発明の第１の実施の形態による無線通信システムは、１つ以上の基地局装置と１つ以上の移動局装置とを備えており、基地局装置と移動局装置との間の無線通信を行う。１つの基地局装置は、１つ以上のセルを構成し、１つのセルに１つ以上の移動局装置を収容することができる。
【００４１】
図１は、本発明の第１の実施の形態による通信システムで用いる下りリンクのチャネルの一構成例を示す図である。また、図２は、本発明の第１の実施の形態による通信システムで用いる上りリンクのチャネルの一構成例を示す図である。図１に示す下りリンクのチャネルと、図２に示す上りリンクのチャネルは、それぞれ論理チャネル、トランスポートチャネル、物理チャネルから構成されている。
【００４２】
論理チャネルは、媒体アクセス制御（ＭＡＣ：Ｍｅｄｉｕｍ  Ａｃｃｅｓｓ  Ｃｏｎｔｒｏｌ）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００４３】
図１に示す下りリンクの論理チャネルには、報知制御チャネル（ＢＣＣＨ：Ｂｒｏａｄｃａｓｔ  Ｃｏｎｔｒｏｌ  Ｃｈａｎｎｅｌ）、ページング制御チャネル（ＰＣＣＨ：Ｐａｇｉｎｇ  Ｃｏｎｔｒｏｌ  Ｃｈａｎｎｅｌ）、共通制御チャネル（ＣＣＣＨ：Ｃｏｍｍｏｎ  Ｃｏｎｔｒｏｌ  Ｃｈａｎｎｅｌ）、専用制御チャネル（ＤＣＣＨ：Ｄｅｄｉｃａｔｅｄ  Ｃｏｎｔｒｏｌ  Ｃｈａｎｎｅｌ）、専用トラフィックチャネル（ＤＴＣＨ：Ｄｅｄｉｃａｔｅｄ  Ｔｒａｆｆｉｃ  Ｃｈａｎｎｅｌ）、マルチキャスト制御チャネル（ＭＣＣＨ：Ｍｕｌｔｉｃａｓｔ  Ｃｏｎｔｒｏｌ  Ｃｈａｎｎｅｌ）、マルチキャストトラフィックチャネル（ＭＴＣＨ：Ｍｕｌｔｉｃａｓｔ  Ｔｒａｆｆｉｃ  Ｃｈａｎｎｅｌ）が含まれる。図２に示す上りリンクの論理チャネルには、共通制御チャネル（ＣＣＣＨ）、専用制御チャネル（ＤＣＣＨ）、専用トラフィックチャネル（ＤＴＣＨ）が含まれる。
【００４４】
図１に示す下りリンクのトランスポートチャネルには、報知チャネル（ＢＣＨ：Ｂｒｏａｄｃａｓｔ  Ｃｈａｎｎｅｌ）、ページングチャネル（ＰＣＨ：Ｐａｇｉｎｇ  Ｃｈａｎｎｅｌ）、下りリンク共用チャネル（ＤＬ−ＳＣＨ：Ｄｏｗｎｌｉｎｋ  Ｓｈａｒｅｄ  Ｃｈａｎｎｅｌ）、マルチキャストチャネル（ＭＣＨ：Ｍｕｌｔｉｃａｓｔ  Ｃｈａｎｎｅｌ）が含まれる。図２に示す上りリンクのトランスポートチャネルには、上りリンク共用チャネル（ＵＬ−ＳＣＨ：Ｕｐｌｉｎｋ  Ｓｈａｒｅｄ  Ｃｈａｎｎｅｌ）、ランダムアクセスチャネル（ＲＡＣＨ：Ｒａｎｄｏｍ  Ａｃｃｅｓｓ  Ｃｈａｎｎｅｌ）が含まれる。
【００４５】
図１に示す下りリンクの物理チャネルには、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）が含まれる。図２に示す上りリンクの物理チャネルには、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）が含まれる。
【００４６】
これらのチャネルは、上記において図７を参照して説明したようにして、基地局装置と移動局装置との間で送受信される。
【００４７】
次に、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（ｂｌｉｎｄ  ｄｅｔｅｃｔｉｏｎ）される。すなわち、タイミング提示のために、明示的なシグナリングを行わなくても良い。また、物理報知チャネル（ＰＢＣＨ）を含むサブフレームは、そのサブフレームだけで復号できる（自己復号可能（ｓｅｌｆ−ｄｅｃｏｄａｂｌｅ）である）。
【００４８】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。
【００４９】
物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００５０】
物理上りリンク共用チャネル（ＰＵＳＣＨ）は、主に上りリンクデータ（ＵＬ−ＳＣＨ）を送信するために使用されるチャネルである。基地局装置１００が、移動局装置２００をスケジューリングした場合には、チャネルフィードバックレポート（下りリンクのチャネル品質識別子ＣＱＩ（Ｃｈａｎｎｅｌ  Ｑｕａｌｉｔｙ  Ｉｎｄｉｃａｔｏｒ）、プレコーディングマトリックス識別子ＰＭＩ（Ｐｒｅｃｏｄｉｎｇ  Ｍａｔｒｉｘ  Ｉｎｄｉｃａｔｏｒ）、ランク識別子ＲＩ（Ｒａｎｋ  Ｉｎｄｉｃａｔｏｒ））や下りリンク送信に対するＨＡＲＱ肯定応答（ＡＣＫ：Ａｃｋｎｏｗｌｅｄｇｅｍｅｎｔ）／否定応答（ＮＡＣＫ：Ｎｅｇａｔｉｖｅ  Ａｃｋｎｏｗｌｅｄｇｅｍｅｎｔ）も物理上りリンク共用チャネル（ＰＵＳＣＨ）を使用して送信される。
【００５１】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＱＩ、ＰＭＩ、ＲＩ）、スケジューリング要求（ＳＲ：Ｓｃｈｅｄｕｌｉｎｇ  Ｒｅｑｕｅｓｔ）、下りリンク送信に対するＨＡＲＱ、肯定応答／否定応答などを送信するために使用されるチャネルである。
【００５２】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。
【００５３】
物理ハイブリッド自動再送要求指示チャネル（ＰＨＩＣＨ）は、上りリンク送信に対するＨＡＲＱ  ＡＣＫ／ＮＡＣＫを送信するために利用するチャネルである。
【００５４】
次に、本発明の第１の実施の形態による通信システムによるチャネルマッピングについて説明する。
【００５５】
図１に示すように、下りリンクでは、次のようにトランスポートチャネルと物理チャネルとのマッピングが行われる。報知チャネル（ＢＣＨ）は、物理報知チャネル（ＰＢＣＨ）にマッピングされる。
【００５６】
マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。
【００５７】
物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００５８】
一方、上りリンクでは、次のようにトランスポートチャネルと物理チャネルとのマッピングが行われる。上りリンク共用チャネル（ＵＬ−ＳＣＨ）は、物理上りリンク共用チャネル（ＰＵＳＣＨ）にマッピングされる。
【００５９】
ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。
【００６０】
また、下りリンクにおいて、次のように論理チャネルとトランスポートチャネルとのマッピングが行われる。ページング制御チャネル（ＰＣＣＨ）は、下りリンク共用チャネル（ＤＬ−ＳＣＨ）にマッピングされる。
【００６１】
報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。
【００６２】
マルチキャスト制御チャネル（ＭＣＣＨ）は、下りリンク共用チャネル（ＤＬ−ＳＣＨ）とマルチキャストチャネル（ＭＣＨ）にマッピングされる。マルチキャストトラフィックチャネル（ＭＴＣＨ）は、下りリンク共用チャネル（ＤＬ−ＳＣＨ）とマルチキャストチャネル（ＭＣＨ）にマッピングされる。
【００６３】
尚、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行われる一方、ＳＣＰＴＭ送信時は、このマッピングは下りリンク共用チャネル（ＤＬ−ＳＣＨ）にマッピングされる。
【００６４】
一方、上りリンクにおいて次のように論理チャネルとトランスポートチャネルとのマッピングが行われる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルとマッピングされない。
【００６５】
次に、本実施の形態による無線通信システムで用いるフレームの構成例について説明する。
【００６６】
図３は、本実施の形態による通信システムの下りリンクで用いるフレームの一構成例を示す図である。また、図４は、本実施の形態による通信システムの上りリンクで用いるフレーム構成例を示す図である。図３及び図４において、横軸は時間軸であり、縦軸は周波数軸である。
【００６７】
システムフレーム番号（ＳＦＮ：Ｓｙｓｔｅｍ  Ｆｒａｍｅ  Ｎｕｍｂｅｒ）で識別される無線フレームは１０ミリ秒（１０ｍｓ）で構成されている。また、１サブフレームは１ミリ秒（１ｍｓ）で構成されており、無線フレームには１０個のサブフレーム＃Ｆ０〜＃Ｆ９が含まれる。
【００６８】
図３に示すように、下りリンクで用いる無線フレームには、物理制御フォーマット指示チャネル（ＰＣＦＩＣＨ）、物理ハイブリッド自動再送要求指示チャネル（ＰＨＩＣＨ）、物理下りリンク制御チャネル（ＰＤＣＣＨ）、物理下りリンク同期信号、物理報知チャネル（ＰＢＣＨ）、物理下りリンク共用チャネル（ＰＤＳＣＨ）／物理マルチキャストチャネル（ＰＭＣＨ）、下りリンク参照信号が配置されている。
【００６９】
図４に示すように、上りリンクで用いる無線フレームには、物理ランダムアクセスチャネル（ＰＲＡＣＨ）、物理上りリンク制御チャネル（ＰＵＣＣＨ）、物理上りリンク共用チャネル（ＰＵＳＣＨ）、上りリンク復調用参照信号、上りリンク測定用参照信号が配置されている。
【００７０】
１サブフレーム（例えば、サブフレーム＃Ｆ０）は、２つのスロット＃Ｓ０、＃Ｓ１に分離される。通常のサイクリックプレフィックス（ｎｏｒｍａｌ  ＣＰ）が使用される場合、下りリンクのスロットは７個のＯＦＤＭシンボルで構成され（図３参照）、上りリンクのスロットは７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルで構成される（図４参照）。
【００７１】
尚、拡張ＣＰ（ｌｏｎｇ  ＣＰ、または、ｅｘｔｅｎｄｅｄ  ＣＰとも称する）が使用される場合は、下りリンクのスロットは６個のＯＦＤＭシンボルで構成され、上りリンクのスロットは６個のＳＣ−ＦＤＭＡシンボルで構成される。
【００７２】
また、１つのスロットは周波数軸方向に複数のブロックに分割される。１５ｋＨｚのサブキャリア１２本を周波数方向の単位として、１個の物理リソースブロック（ＰＲＢ）を構成する。物理リソースブロック（ＰＲＢ）数は、システム帯域幅に応じて、６個から１１０個までサポートされる。図３、図４では、物理リソースブロック（ＰＲＢ）数が２５個の場合を示す。また、上りリンクと下りリンクで異なるシステム帯域幅を使用することも可能である。
【００７３】
下りリンク、上りリンクのリソース割り当ては、時間方向にサブフレーム単位かつ周波数方向に物理リソースブロック（ＰＲＢ）単位で行われる。すなわち、サブフレーム内の２つのスロットは、一つのリソース割り当て信号で割り当てられる。
【００７４】
サブキャリアとＯＦＤＭシンボルまたはサブキャリアとＳＣ−ＦＤＭＡシンボルで構成される単位をリソースエレメントと称する。物理層でのリソースマッピング処理で各リソースエレメントに対して変調シンボルなどがマッピングされる。
【００７５】
下りリンクトランスポートチャネルの物理層での処理では、物理下りリンク共用チャネル（ＰＤＳＣＨ）に対する２４ビットの巡回冗長検査（ＣＲＣ：Ｃｙｃｌｉｃ  Ｒｅｄｕｎｄａｎｃｙ  Ｃｈｅｃｋ）の付与、チャネルコーディング（伝送路符号化）、物理層ＨＡＲＱ処理、チャネルインターリービング、スクランブリング、変調（ＱＰＳＫ（Ｑｕａｄｒａｔｕｒｅ  Ｐｈａｓｅ  Ｓｈｉｆｔ  Ｋｅｙｉｎｇ：４相位相偏移変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ）、レイヤマッピング、プレコーディング、リソースマッピング、アンテナマッピングなどが行われる。
【００７６】
一方、上りリンクトランスポートチャネルの物理層での処理では、物理上りリンク共用チャネル（ＰＵＳＣＨ）に対する２４ビットの巡回冗長検査（ＣＲＣ）の付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行われる。
【００７７】
物理下りリンク制御チャネル（ＰＤＣＣＨ）、物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。
【００７８】
物理下りリンク制御チャネル（ＰＤＣＣＨ）では、下りリンク共用チャネル（ＤＬ−ＳＣＨ）およびページングチャネル（ＰＣＨ）に対するトランスポートフォーマット（変調方式、符号化方式、トランスポートブロックサイズなどを規定する）、リソース割り当て、ＨＡＲＱ情報が送信される。
【００７９】
また、物理下りリンク制御チャネル（ＰＤＣＣＨ）では、上りリンク共用チャネル（ＵＬ−ＳＣＨ）に対するトランスポートフォーマット（変調方式、符号化方式、トランスポートブロックサイズなどを規定する）、リソース割り当て、ＨＡＲＱ情報が送信される。
【００８０】
また、複数の物理下りリンク制御チャネル（ＰＤＣＣＨ）がサポートされ、移動局装置は、物理下りリンク制御チャネル（ＰＤＣＣＨ）のセットをモニタリングする。
【００８１】
物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。
【００８２】
物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。
【００８３】
また、物理下りリンク制御チャネル（ＰＤＣＣＨ）による上り／下りリンクのリソース割り当てにおいて、移動局装置は、１６ビットのＭＡＣ層識別情報（ＭＡＣ  ＩＤ）を用いて特定される。すなわち、この１６ビットのＭＡＣ層識別情報（ＭＡＣ  ＩＤ）が物理下りリンク制御チャネル（ＰＤＣＣＨ）に含まれる。
【００８４】
また、下りリンク状態の測定用および下りリンクデータの復調用に使用される下りリンク参照信号（下りリンクパイロットチャネル）は、各スロットの１番目、２番目、後ろから３番目のＯＦＤＭシンボルに配置される（黒塗り）。
【００８５】
一方、物理上りリンク共用チャネル（ＰＵＳＣＨ）の復調用に使用される上りリンク復調用参照信号（復調用パイロット（ＤＲＳ：Ｄｅｍｏｄｕｌａｔｉｏｎ  Ｒｅｆｅｒｅｎｃｅ  Ｓｉｇｎａｌ））は、各スロットの４番目のＳＣ−ＦＤＭＡシンボルで送信される。
【００８６】
また、上りリンク状態の測定用に使用される上りリンク測定用参照信号（スケジューリング用パイロット（ＳＲＳ：Ｓｏｕｎｄｉｎｇ  Ｒｅｆｅｒｅｎｃｅ  Ｓｉｇｎａｌ））は、サブフレームの最後のＳＣ−ＦＤＭＡシンボルで送信される。
【００８７】
物理上りリンク制御チャネル（ＰＵＣＣＨ）の復調用参照信号は、物理上りリンク制御チャネルのフォーマットごとに定義され、各スロットの３および４および５番目、または、各スロットの２番目および６番目のＳＣ−ＦＤＭＡシンボルで送信される。
【００８８】
また、物理報知チャネル（ＰＢＣＨ）、下りリンク同期信号は、システム帯域の中心６物理リソースブロック分の帯域に配置される。物理下りリンク同期信号は、１番目（サブフレーム＃Ｆ０）および５番目（サブフレーム＃Ｆ４）のサブフレームの各スロットの６番目、７番目のＯＦＤＭシンボルで送信される。
【００８９】
物理報知チャネル（ＰＢＣＨ）は、１番目のサブフレーム（サブフレーム＃Ｆ０）の１番目のスロット（スロット＃Ｓ０）の４番目、５番目のＯＦＤＭシンボルと２番目のスロット（スロット＃Ｓ１）の１番目、２番目のＯＦＤＭシンボルで送信される。
【００９０】
また、物理ランダムアクセスチャネル（ＰＲＡＣＨ）は、周波数方向に６個の物理リソースブロック分の帯域幅、時間方向に１サブフレームで構成される。移動局装置から基地局装置にさまざまな理由で要求（上りリンクリソースの要求、上りリンク同期の要求、下りリンクデータ送信再開要求、ハンドオーバー要求、接続設定要求、再接続要求、ＭＢＭＳサービス要求など）を行うために送信される。
【００９１】
物理上りリンク制御チャネル（ＰＵＣＣＨ）は、システム帯域の両端に配置され、物理リソースブロック単位で構成される。スロット間でシステム帯域の両端が交互に使用されるように周波数ホッピングが行われる。
【００９２】
図５は、本実施の形態による基地局装置１００の構成例を示す機能ブロック図である。図５に示すように、基地局装置１００は、データ制御部１０１、ＯＦＤＭ変調部１０２、無線部１０３、スケジューリング部１０４、チャネル推定部１０５、ＤＦＴ−Ｓ−ＯＦＤＭ（ＤＦＴ−Ｓｐｒｅａｄ−ＯＦＤＭ）復調部１０６、データ抽出部１０７、上位層１０８、アンテナ部Ａ１を備えている。
【００９３】
無線部１０３、スケジューリング部１０４、チャネル推定部１０５、ＤＦＴ−Ｓ−ＯＦＤＭ復調部１０６、データ抽出部１０７、上位層１０８およびアンテナ部Ａ１は、受信部を構成している。また、データ制御部１０１、ＯＦＤＭ変調部１０２、無線部１０３、スケジューリング部１０４、上位層１０８およびアンテナ部Ａ１は、送信部を構成している。
【００９４】
アンテナ部Ａ１、無線部１０３、チャネル推定部１０５、ＤＦＴ−Ｓ−ＯＦＤＭ復調部１０６およびデータ抽出部１０７は、上りリンクの物理層の処理を行う。アンテナ部Ａ１、データ制御部１０１、ＯＦＤＭ変調部１０２および無線部１０３は、下りリンクの物理層の処理を行う。
【００９５】
データ制御部１０１は、スケジューリング部１０４からトランスポートチャネルを取得する。データ制御部１０１は、トランスポートチャネルと、スケジューリング部１０４から入力されるスケジューリング情報に基づいて物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２へ出力される。
【００９６】
ＯＦＤＭ変調部１０２は、データ制御部１０１から入力されたデータに対して、スケジューリング部１０４から入力されるスケジューリング情報（下りリンク物理リソースブロック（ＰＲＢ）割り当て情報（例えば、周波数、時間など物理リソースブロック位置情報）や、各下りリンク物理リソースブロック（ＰＲＢ）に対応する変調方式および符号化方式（例えば、１６ＱＡＭ変調、２／３コーディングレート）などを含む）に基づいて、符号化、データ変調、入力信号の直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理、サイクリックプレフィックス（ＣＰ）の挿入、並びに、フィルタリングなどＯＦＤＭ信号処理を行い、ＯＦＤＭ信号を生成して、無線部１０３へ出力する。
【００９７】
無線部１０３は、ＯＦＤＭ変調部１０２から入力された変調データを無線周波数にアップコンバートして無線信号を生成し、アンテナ部Ａ１を介して、移動局装置２００に送信する。また、無線部１０３は、移動局装置２００からの上りリンクの無線信号を、アンテナ部Ａ１を介して受信し、ベースバンド信号にダウンコンバートして、受信データをチャネル推定部１０５とＤＦＴ−Ｓ−ＯＦＤＭ復調部１０６とに出力する。
【００９８】
スケジューリング部１０４は、媒体アクセス制御（ＭＡＣ：Ｍｅｄｉｕｍ  Ａｃｃｅｓｓ  Ｃｏｎｔｒｏｌ）層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。スケジューリング部１０４は、各物理層の処理部を統合して制御するため、スケジューリング部１０４と、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【００９９】
スケジューリング部１０４は、下りリンクのスケジューリングでは、移動局装置２００から受信したフィードバック情報（下りリンクのチャネルフィードバックレポート（チャネル品質（ＣＱＩ）、ストリームの数（ＲＩ）、プレコーディング情報（ＰＭＩ）など））や、下りリンクデータに対するＡＣＫ／ＮＡＣＫフィードバック情報など）、各移動局装置の使用可能な下りリンク物理リソースブロック（ＰＲＢ）の情報、バッファ状況、上位層１０８から入力されたスケジューリング情報などに基づいて、各データを変調するための下りリンクのトランスポートフォーマット（送信形態）（物理リソースブロック（ＰＲＢ）の割り当ておよび変調方式および符号化方式など）の選定処理、ＨＡＲＱにおける再送制御および下りリンクのスケジューリングに使用されるスケジューリング情報の生成を行う。これら下りリンクのスケジューリングに使用されるスケジューリング情報は、データ制御部１０１およびデータ抽出部１０７へ出力される。
【０１００】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能な下りリンク物理リソースブロック（ＰＲＢ）の情報、上位層１０８から入力されたスケジューリング情報などに基づいて、各データを変調するための上りリンクのトランスポートフォーマット（送信形態）（物理リソースブロック（ＰＲＢ）の割り当ておよび変調方式および符号化方式など）の選定処理および上りリンクのスケジューリングに使用されるスケジューリング情報の生成を行う。
【０１０１】
これら上りリンクのスケジューリングに使用されるスケジューリング情報は、データ制御部１０１およびデータ抽出部１０７へ出力される。
【０１０２】
また、スケジューリング部１０４は、ランダムアクセス処理の制御を行う。スケジューリング部１０４は、データ抽出部１０７から取得したランダムアクセスプリアンブルの情報を元に、ランダムアクセス応答を生成し、下りリンク共用チャネル（ＤＬ−ＳＣＨ）に含め、データ制御部１０１へ出力する。また、非競合ランダムアクセスのためのランダムアクセスプリアンブルの管理を行い、必要に応じて、移動局装置へ通知するための情報を生成する。
【０１０３】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【０１０４】
チャネル推定部１０５は、上りリンクデータの復調のために、上りリンク復調用参照信号（ＤＲＳ：Ｄｅｍｏｄｕｌａｔｉｏｎ  Ｒｅｆｅｒｅｎｃｅ  Ｓｉｇｎａｌ）から上りリンクのチャネル状態を推定し、その推定結果をＤＦＴ−Ｓ−ＯＦＤＭ復調部１０６に出力する。また、上りリンクのスケジューリングを行うために、上りリンク測定用参照信号（ＳＲＳ：Ｓｏｕｎｄｉｎｇ  Ｒｅｆｅｒｅｎｃｅ  Ｓｉｇｎａｌ）から上りリンクのチャネル状態を推定し、その推定結果をスケジューリング部１０４に出力する。
【０１０５】
なお、上りリンクの通信方式は、ＤＦＴ−Ｓ−ＯＦＤＭ等のようなシングルキャリア方式を想定しているが、ＯＦＤＭ方式のようなマルチキャリア方式を用いても良い。
【０１０６】
ＤＦＴ−Ｓ−ＯＦＤＭ復調部１０６は、チャネル推定部１０５から入力された上りリンクのチャネル状態推定結果に基づいて、無線部１０３から入力された変調データに対し、ＦＦＴ変換、サブキャリアマッピング、ＩＤＦＴ変換、フィルタリング等のＤＦＴ−Ｓ−ＯＦＤＭ信号処理を行って、復調処理を施し、データ抽出部１０７に出力する。また、ＤＦＴ−Ｓ−ＯＦＤＭ復調部１０６は、ランダムアクセスプリアンブルの復調処理も行う。
【０１０７】
データ抽出部１０７は、スケジューリング部１０４からのスケジューリング情報に基づいて、ＤＦＴ−Ｓ−ＯＦＤＭ復調部１０６から入力されたデータに対して、正誤を確認するとともに、確認結果（肯定信号ＡＣＫ／否定信号ＮＡＣＫ）をスケジューリング部１０４に出力する。
【０１０８】
データ抽出部１０７は、ＤＦＴ−Ｓ−ＯＦＤＭ復調部１０６から入力された物理ランダムアクセスチャネル（ＰＲＡＣＨ）の信号からランダムアクセスプリアンブルを検出し、同期タイミングずれ量算出し、ランダムアクセスプリアンブル番号と同期タイミングずれ量をスケジューリング部２０３に報告する。また、データ抽出部１０７は、スケジューリング部１０４からのスケジューリング情報に基づいて、ＤＦＴ−Ｓ−ＯＦＤＭ復調部１０６から入力されたデータからトランスポートチャネルと物理層の制御データとに分離して、スケジューリング部１０４に出力する。
【０１０９】
分離された制御データには、移動局装置２００から通知されたフィードバック情報（下りリンクのチャネルフィードバックレポート（ＣＱＩ、ＰＭＩ、ＲＩ）、下りリンクのデータに対するＡＣＫ／ＮＡＣＫフィードバック情報）などが含まれている。
【０１１０】
上位層１０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層１０８は、下位層の処理部を統合して制御するため、上位層１０８と、スケジューリング部１０４、アンテナ部Ａ１、無線部１０３、チャネル推定部１０５、ＤＦＴ−Ｓ−ＯＦＤＭ復調部１０６、データ制御部１０１、ＯＦＤＭ変調部１０２およびデータ抽出部１０７との間のインターフェースが存在する。ただし、図示しない。
【０１１１】
上位層１０８は、無線リソース制御部１０９を有している。無線リソース制御部１０９は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行っている。上位層１０８は、別の基地局装置への情報および上位ノードへの情報の授受を行う。
【０１１２】
図６は、本実施の形態による移動局装置２００の一構成例を示す機能ブロック図である。図６に示す移動局装置２００は、データ制御部２０１、ＤＦＴ−Ｓ−ＯＦＤＭ変調部２０２、無線部２０３、スケジューリング部２０４、チャネル推定部２０５、ＯＦＤＭ復調部２０６、データ抽出部２０７、上位層２０８、アンテナ部Ａ２を備えている。
【０１１３】
データ制御部２０１、ＤＦＴ−Ｓ−ＯＦＤＭ変調部２０２、無線部２０３、スケジューリング部２０４、上位層２０８およびアンテナ部Ａ２は、送信部を構成している。また、無線部２０３、スケジューリング部２０４、チャネル推定部２０５、ＯＦＤＭ復調部２０６、データ抽出部２０７、上位層２０８およびアンテナ部Ａ２は、受信部を構成している。また、スケジューリング部２０４は、選択部を構成している。
【０１１４】
アンテナ部Ａ２、データ制御部２０１、ＤＦＴ−Ｓ−ＯＦＤＭ変調部２０２および無線部２０３は、上りリンクの物理層の処理を行う。アンテナ部Ａ２、無線部２０３、チャネル推定部２０５、ＯＦＤＭ復調部２０６およびデータ抽出部２０７は、下りリンクの物理層の処理を行う。
【０１１５】
データ制御部２０１は、スケジューリング部２０４からトランスポートチャネルを取得する。データ制御部２０１は、トランスポートチャネルと、スケジューリング部１０４から入力されるスケジューリング情報に基づいて物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２へ出力される。データ制御部２０１は、スケジューリング部２０４から通知されたランダムアクセスプリアンブル番号でランダムアクセスプリアンブルを生成し、ＤＦＴ−ｓｐｒｅａｄ−ＯＦＤＭ変調部２０２に出力する。
【０１１６】
ＤＦＴ−Ｓ−ＯＦＤＭ変調部２０２は、データ制御部２０１から入力されたデータに対し、データ変調、ＤＦＴ処理、サブキャリアマッピング、逆高速フーリエ変換（ＩＦＦＴ）処理、サイクリックプレフィックス（ＣＰ）挿入、フィルタリングなどのＤＦＴ−Ｓ−ＯＦＤＭ信号処理を行い、ＤＦＴ−Ｓ−ＯＦＤＭ信号を生成して、無線部２０３へ出力する。
【０１１７】
なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。
【０１１８】
無線部２０３は、ＤＦＴ−Ｓ−ＯＦＤＭ変調部２０２から入力された変調データを無線周波数にアップコンバートして無線信号を生成し、アンテナ部Ａ２を介して、基地局装置１００（図５）に送信する。
【０１１９】
また、無線部２０３は、基地局装置１００からの下りリンクのデータで変調された無線信号を、アンテナ部Ａ２を介して受信し、ベースバンド信号にダウンコンバートして、受信データを、チャネル推定部２０５およびＯＦＤＭ復調部２０６に出力する。
【０１２０】
スケジューリング部２０４は、媒体アクセス制御層の処理を行う。スケジューリング部２０４は、論理チャネルとトランスポートチャネルのマッピング、下りリンクおよび上りリンクのスケジューリング（ＨＡＲＱ処理、トランスポートフォーマットの選択など）などを行う。スケジューリング部２０４は、各物理層の処理部を統合して制御するため、スケジューリング部２０４と、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、図示しない。
【０１２１】
スケジューリング部２０４は、ランダムアクセス処理の制御を行う。スケジューリング部２０４は、ランダムアクセス応答を受信すると、ランダムアクセス応答に含まれる上りリンクグラントを抽出し、データ抽出部２０７に上りリンクグラントの処理を依頼し、再度、データ抽出部２０７から抽出された上りリンクのリソース割り当て情報を取得する。
【０１２２】
スケジューリング部２０４は、ランダムアクセスで使用するランダムアクセスプリアンブル番号をランダムに選択し、選択したランダムアクセスプリアンブル番号をデータ制御部２０１に出力する。基地局装置のスケジューリング部１０４からランダムアクセスプリアンブル番号が指示された場合には、指示されたランダムアクセスプリアンブル番号をデータ制御部２０１に出力する。
【０１２３】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行う。これら下りリンクのスケジューリングに使用されるスケジューリング情報は、データ制御部２０１およびデータ抽出部２０７へ出力される。
【０１２４】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行う。
【０１２５】
なお、上りリンクのトランスポートフォーマットについては、基地局装置１００から通知された情報を利用する。これらスケジューリング情報は、データ制御部２０１およびデータ抽出部２０７へ出力される。
【０１２６】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネルフィードバックレポート（ＣＱＩ、ＰＭＩ、ＲＩ）や、データ抽出部２０７から入力されたＣＲＣ確認結果についても、データ制御部２０１へ出力する。
【０１２７】
また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【０１２８】
チャネル推定部２０５は、下りリンクデータの復調のために、下りリンク参照信号（ＲＳ）から下りリンクのチャネル状態を推定し、その推定結果をＯＦＤＭ復調部２０６に出力する。
【０１２９】
また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネルフィードバックレポート（チャネル品質情報など）に変換して、スケジューリング部２０４に出力する。
【０１３０】
ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。
【０１３１】
データ抽出部２０７は、ＯＦＤＭ復調部２０６から入力されたデータに対して、巡回冗長検査（ＣＲＣ）を行い、正誤を確認するとともに、確認結果（ＡＣＫ／ＮＡＣＫフィードバック情報）をスケジューリング部２０４に出力する。
【０１３２】
また、データ抽出部２０７は、スケジューリング部２０４からのスケジューリング情報に基づいて、ＯＦＤＭ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。このとき、物理下りリンク制御信号（ＰＤＣＣＨ）の検索空間（検索領域ともいう）をデコード処理し、自局宛の下りリンクまたは上りリンクのリソース割り当てなどを抽出する。
【０１３３】
上位層２０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層２０８は、無線リソース制御部２０９を有している。上位層２０８は、下位層の処理部を統合して制御するため、上位層２０８と、スケジューリング部２０４、アンテナ部Ａ２、データ制御部２０１、ＤＦＴ−Ｓ−ＯＦＤＭ変調部２０２、チャネル推定部２０５、ＯＦＤＭ復調部２０６、データ抽出部２０７および無線部２０３との間のインターフェースが存在する。ただし、ここでは図示しない。
【０１３４】
無線リソース制御部２０９は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行う。
【０１３５】
ランダムアクセス応答は、変調符号化方式４ビット、物理上りリンク共用チャネルＰＵＳＣＨ用の送信電力制御情報４ビット、周波数ホッピングフラグ１ビット、ＣＱＩ（Ｃｈａｎｎｅｌ  Ｑｕａｌｉｔｙ  Ｉｎｄｉｃａｔｏｒ）要求１ビット、上りリンク遅延１ビット、リソースブロックのリソース割り当て１０ビットで構成される。２０ビットに収めるため、通常の物理リンク上りリンク共用チャネルＰＵＳＣＨ用の送信電力制御情報４ビットを３ビットに削減し、リソース割り当てフィールドを１０ビットとする。
【０１３６】
ランダムアクセス応答に含まれる上りリンクグラントのリソース割り当てフィールドのフォーマットを以下に示す。
【０１３７】
上りリンクグラントに含まれるリソース割り当てフィールドから特定されるリソース割り当てに使用されるビット列をＲＩＶ（Ｒｅｓｏｕｒｃｅ  Ｉｎｄｉｃａｔｉｏｎ  Ｖａｌｕｅ）、
開始リソースブロック位置を
【０１３８】
【数９】
2010098707.tif 000011
、割り当てられた連続リソースブロック長を
【０１３９】
【数１０】
2010098707.tif 000012
、システム帯域幅を
【０１４０】
【数１１】
2010098707.tif 000013
（リソースブロックの数で表現される。）、とする。
【０１４１】
＜リソース割り当てに使用されるビット列の算出方法：方法１＞
リソース割り当てに使用されるビット列を削減する方法について説明する。図８Ｂは、第１の方法による、上りリンクグラントで割り当てられたリソースを示す概略的な図である。移動通信システムの上りリンクでサポートされるシステム帯域幅の種類の最大のシステム帯域幅におけるリソースブロック数を
【０１４２】
【数１２】
2010098707.tif 000014
、連続して割り当て可能なリソースブロック長を
【０１４３】
【数１３】
2010098707.tif 000015
、とすると、リソース割り当てに使用されるビット列ＲＩＶは、以下の式で与えられる。
【０１４４】
【数１４】
2010098707.tif 000016
【０１４５】
【数１５】
2010098707.tif 000017
【０１４６】
このとき、ＲＩＶのビット長は、以下の式で与えられる。
【０１４７】
【数１６】
2010098707.tif 000018
ビット（リソース割り当てフィールドの残りの上位ビットは０で埋められる）
【０１４８】
【数１７】
2010098707.tif 000019
ビット
【０１４９】
【数１８】
2010098707.tif 000020
【０１５０】
【数１９】
2010098707.tif 000021
とすると、
【０１５１】
【数２０】
2010098707.tif 000022
となるため、ＲＩＶのとりうる最大のビット長は、１０ビットとなる。別の言い方をすれば、
【０１５２】
【数２１】
2010098707.tif 000023
とすると、
【０１５３】
【数２２】
2010098707.tif 000024
となるように、
【０１５４】
【数２３】
2010098707.tif 000025
を選択すると、
【０１５５】
【数２４】
2010098707.tif 000026
となる。
【０１５６】
さらに、物理上りリンク共用チャネルＰＵＳＣＨ用の送信電力制御情報４ビットを３ビットに削減し、リソース割り当てフィールドを１０ビットとする。
【０１５７】
移動局装置は、基地局装置から通知されたリソース割り当てフィールドの情報からＲＩＶを取得し、上記式から開始リソースブロック位置
【０１５８】
【数２５】
2010098707.tif 000027
、割り当てられた連続リソースブロック長
【０１５９】
【数２６】
2010098707.tif 000028
を特定し、特定した上りリンクのリソースブロックで上りリンクの送信を行う。移動局装置は、システム帯域幅が４５リソースブロック以上の場合、システム帯域が
【０１６０】
【数２７】
2010098707.tif 000029
であるとして、ＲＩＶを解釈する。
【０１６１】
さらに詳細に説明する。この場合は、図９に示されるようにリソース割り当てフィールドが構成される。周波数ホッピングフラグ1ビットの値を１に設定しない場合（ここでは、周波数ホッピングフラグ１ビットの値が１の場合、ホッピングオン、０の場合ホッピングオフとして説明するが、逆の値でもよい）、リソース割り当てフィールドのビットはＲＩＶだけで構成され、ＲＩＶのビット長がリソース割り当てフィールドのビット長よりも短いときには、リソース割り当てフィールドのビット長と同じビット長になるまで０を挿入する。
【０１６２】
周波数ホッピングフラグ１ビットの値を１に設定した場合、周波数ホッピングフラグ１ビットの値を１に設定しない場合のＲＩＶのビット長よりも周波数ホッピングビットのビット長だけ短いビット長でＲＩＶの下位ビットをリソース割り当てフィールド上に構成する。上りリンクのシステム帯域幅が４９リソースブロック以下の場合には、周波数ホッピングビットは１ビット、５０リソースブロック以上の場合には周波数ホッピングビットは２ビットである。
【０１６３】
ＲＩＶの下位ビットのビット長と周波数ホッピングビットのビット長の和がリソース割り当てフィールドのビット長よりも短いときには、リソース割り当てフィールドのビット長と同じビット長になるまで０を挿入する。
【０１６４】
すなわち、ＲＩＶの下位ビットのビット長は周波数ホッピングフラグ１ビットの値を１に設定しない場合のＲＩＶのビット長から周波数ホッピングビットのビット長を引かれた残りのビットとなり、連続して割り当て可能なリソースブロック長が制限される。よって、システム帯域幅が４５リソースブロック以上の場合
【０１６５】
【数２８】
2010098707.tif 000030
はさらに制限される。
【０１６６】
リソース割り当てフィールドからリソース割り当てを特定するときは、周波数ホッピングフラグと上りリンクのシステム帯域幅に応じてリソース割り当てフィールドから周波数ホッピングビットとＲＩＶの下位ビットのビット長を特定し、ホッピングビットとＲＩＶの下位ビットを取得する。ＲＩＶの上位ビットとして周波数ホッピングビットとして使われたビット数だけ、値が０のビットがあると解釈し、周波数ホッピングフラグに依存せず同じ方法でＲＩＶの解釈をする。
【０１６７】
移動局装置は、ＲＩＶを特定すると、以下に示すように、開始リソースブロック位置
【数２９】
2010098707.tif 000031
、割り当てられた連続リソースブロック長
【０１６８】
【数３０】
2010098707.tif 000032
を特定する。
【０１６９】
【数３１】
2010098707.tif 000033
【０１７０】
【数３２】
2010098707.tif 000034
【０１７１】
【数３３】
2010098707.tif 000035
【０１７２】
【数３４】
2010098707.tif 000036
【０１７３】
すなわち、移動局装置は、上りリンクのシステム帯域ごとに、リソース割り当てフィールドの解釈を変更するとともに、連続して割り当て可能なリソースブロック長を制限することによって、ビット数を大幅に削減することが可能となる。
【０１７４】
＜リソース割り当てに使用されるビット列の算出方法：方法２＞
リソース割り当てに使用されるビット列を削減する他の方法について説明する。図８Ｃは、第２の方法による上りリンクグラントで割り当てられたリソースを示す概略的な図である。
【０１７５】
移動局装置は、上りリンクのシステム帯域ごとに、ＲＩＶの解釈を変更する。移動局装置での開始リソースブロック位置
【数３５】
2010098707.tif 000037
、割り当てられた連続リソースブロック長
【０１７６】
【数３６】
2010098707.tif 000038
を、ステップサイズ
【０１７７】
【数３７】
2010098707.tif 000039
（開始リソースブロック位置および連続リソースブロック長の指定可能な単位）を使って、以下のように表現する。
【０１７８】
【数３８】
2010098707.tif 000040
【０１７９】
【数３９】
2010098707.tif 000041
【０１８０】
このとき、リソース割り当てに使用されるビット列ＲＩＶは、以下の式で与えられる。
【数４０】
2010098707.tif 000042
【０１８１】
【数４１】
2010098707.tif 000043
【０１８２】
【数４２】
2010098707.tif 000044
【０１８３】
このとき、ＲＩＶのビット長は、以下の式で与えられる。
【数４３】
2010098707.tif 000045
ビット（リソース割り当てフィールドの残りの上位ビットは０で埋められる）
【０１８４】
【数４４】
2010098707.tif 000046
【０１８５】
【数４５】
2010098707.tif 000047
となるため、ＲＩＶのとりうる最大のビット長は、１０ビットとなる。
【０１８６】
移動局装置は、基地局装置から通知されたリソース割り当てフィールドの情報からＲＩＶを取得し、上記式から開始リソースブロック位置
【数４６】
2010098707.tif 000048
、割り当てられた連続リソースブロック長
【０１８７】
【数４７】
2010098707.tif 000049
を特定し、特定した上りリンクのリソースブロックで上りリンクの送信を行う。
【０１８８】
システム帯域幅が４５リソースブロック以上の場合、開始リソースブロック位置は、３リソースブロックごと（３の倍数の番号のリソースブロック）にしか指定できないように制限されている。連続リソースブロック長は、３リソースブロックごと（３の倍数の番号のリソースブロック）にしか指定できないように制限されている。
【０１８９】
さらに詳細に説明する。この場合は、図１０、図１１、図１２、図１３に示されるようにリソース割り当てフィールドが構成される。図１０に周波数ホッピングフラグ1ビットの値を１に設定しない場合（ここでは、周波数ホッピングフラグ１ビットの値が１の場合、ホッピングオン、０の場合ホッピングオフとして説明するが、逆の値でもよい）のリソース割り当てフィールドの構成を示す。リソース割り当てフィールドのビットはＲＩＶだけで構成され、ＲＩＶのビット長がリソース割り当てフィールドのビット長よりも短いときには、リソース割り当てフィールドのビット長と同じビット長になるまで０を挿入する。
【０１９０】
周波数ホッピングフラグ１ビットの値を１に設定した場合、周波数ホッピングビットを送信する方法として３つの方法がある。
【０１９１】
図１１に１つ目の方法のリソース割り当てフィールドの構成を示す。周波数ホッピングビットを
【０１９２】
【数４８】
2010098707.tif 000050
とすると、１つ目の方法は、周波数ホッピングビットのビット長とＲＩＶのビット長の和が１０ビット、つまり
【０１９３】
【数４９】
2010098707.tif 000051
のときに用いる。この方法では、リソース割り当てフィールドの上位ビットを周波数ホッピングビットとし、残りのビット列をＲＩＶとしてリソース割り当てフィールド１０ビットを構成する。リソース割り当てフィールドからリソース割り当てを特定するときは、リソース割り当てフィールドからそのまま周波数ホッピングビットとＲＩＶを抽出する。
【０１９４】
図１２に２つ目の方法のリソース割り当てフィールドの構成を示す。２つ目の方法は、周波数ホッピングビットのビット長とＲＩＶのビット長の和が１０ビットよりも短い、つまり
【０１９５】
【数５０】
2010098707.tif 000052
のときに用いる。この方法では、リソース割り当てフィールドの上位ビットを周波数ホッピングビットとし、リソース割り当てフィールドの下位ビットをＲＩＶとし、残りのビットを０で埋めてリソース割り当てフィールド１０ビットを構成する。リソース割り当てフィールドからリソース割り当てを特定するときは、リソース割り当てフィールドから０で埋められた領域を特定し、周波数ホッピングビットとＲＩＶを抽出する。
【０１９６】
図１３に３つ目の方法のリソース割り当てフィールドの構成を示す。３つ目の方法は、周波数ホッピングビットのビット長とＲＩＶのビット長の和が１０ビットよりも長い、つまり
【０１９７】
【数５１】
2010098707.tif 000053
のときに用いる。この方法では、リソース割り当てフィールドの上位ビットを周波数ホッピングビットとし、リソース割り当てフィールドの上位ビットから周波数ホッピングビットを引いた残りのビットをＲＩＶの下位ビットとしてリソース割り当てフィールド１０ビットを構成する。このとき、リソース割り当てフィールド内に構成されず、省略されたＲＩＶの上位ビットのビット数は、次式から求められるように周波数ホッピングビットのビット長とＲＩＶのビット長から１０ビットを引いたビット数である。
【０１９８】
【数５２】
2010098707.tif 000054
ビット
【０１９９】
このようにリソース割り当てフィールドを構成することで、リソース割り当てフィールドにおいてＲＩＶとして使えるビット長が増えるため、連続して割り当て可能なリソースブロック長の制限を緩和することができる。
【０２００】
リソース割り当てフィールドからリソース割り当てを特定するときは、リソース割り当てフィールドに構成されなかったＲＩＶの上位ビットの値が０であると解釈し、周波数ホッピングフラグに依存せず同じ方法でＲＩＶの解釈をする。
【０２０１】
移動局装置は、ＲＩＶを特定すると、以下に示すように、開始リソースブロック位置
【数５３】
2010098707.tif 000055
、割り当てられた連続リソースブロック長
【０２０２】
【数５４】
2010098707.tif 000056
を特定方法する。
【０２０３】
【数５５】
2010098707.tif 000057
【０２０４】
【数５６】
2010098707.tif 000058
【０２０５】
【数５７】
2010098707.tif 000059
【０２０６】
すなわち、開始リソースブロック位置および連続リソースブロック長を
【数５８】
2010098707.tif 000060
ごとに制限することによって、ビット数を大幅に削減し、システム帯域に依存しないビット数にすることが可能となる。
【０２０７】
開始リソースブロック位置を制限することは、ビット演算を工夫することによって簡単に実現することも可能である。図１８は、周波数ホッピングフラグ1ビットの値を１に設定しない場合の別のリソース割り当てフィールドの構成を示す図である。リソース割り当てフィールドのビットはＲＩＶの一部のビットとして構成され、移動局装置と基地局装置は、ＲＩＶの下位ビットにＹビット分、０を追加してＲＩＶを解釈する。ＲＩＶのビット長がリソース割り当てフィールドのビット長とＹビットの合計よりも長いときには、ＲＩＶのビット長になるまでＲＩＶの上位ビットに０を挿入する。このとき、リソース割り当てフィールド内に構成されず、省略されたＲＩＶの上位ビットのビット数Ｘは、省略されたＲＩＶの下位ビットのビット数をＹとすると、ＲＩＶのビット長から（１０＋Ｙ）ビットを引いたビット数である。
【０２０８】
図１９は、周波数ホッピングフラグ１ビットの値を１に設定した場合で、周波数ホッピングビットのビット長とＲＩＶのビット長の和が１０ビットよりも長いときに用いる方法について示す図である。この方法では、リソース割り当てフィールドの上位ビットを周波数ホッピングビットとし、リソース割り当てフィールドの上位ビットから周波数ホッピングビットを引いた残りのビットをＲＩＶの一部のビットとしてリソース割り当てフィールド１０ビットを構成する。移動局装置と基地局装置とは、リソース割り当てフィールドの上位ビットから周波数ホッピングビットを引いた残りのビットの前後に０を追加してＲＩＶを解釈する。このとき、リソース割り当てフィールド内に構成されず、省略されたＲＩＶの上位ビットのビット数Ｚは、省略されたＲＩＶの下位ビットのビット数をＹとすると、周波数ホッピングビットのビット長とＲＩＶのビット長から（１０＋Ｙ）ビットを引いたビット数である。すなわち、ＲＩＶは、リソース割り当てフィールドの上位ビットから周波数ホッピングビットを引いた残りのビットの、前にＺビット分、後ろにＹビット分、０が追加されたとして解釈される。
【０２０９】
このようにして生成されたＲＩＶは、通常の物理下りリンク制御チャネルＰＤＣＣＨで示される上りリンクグラントで使用されるＲＩＶとして上記数０７で示される式のように解釈する。移動局装置と基地局装置は、前記生成されたＲＩＶを、通常の物理下りリンク制御チャネルＰＤＣＣＨで示される上りリンクグラントのリソース割り当てフィールドと同じように、更に、リソース割り当てフィールドの上位ビットから周波数ホッピングビットを引いた残りのビットの上位ビットとして、周波数ホッピングビットとして使われたビット数だけ値が０のビットがあると解釈する。
Ｙを１ビットとしたときには、開始リソースブロック位置は、２リソースブロックごと（２の倍数の番号のリソースブロック）にしか指定できないように制限される。また、省略されたＲＩＶの下位ビットのＹビットを０ではなく１とすると、２リソースブロックごと（奇数の番号のリソースブロック）にしか指定できないように制限される。
【０２１０】
また、Ｙビットの追加を周波数ホッピングフラグ１ビットの値を１に設定した場合にのみ適用することも可能である。その場合、移動局装置は、周波数ホッピングフラグ１ビットの値に応じて、下位ビットへのＹビットを追加するかどうかを切り替えて使用する。周波数ホッピングフラグ1ビットの値を１に設定しない場合は、リソース割り当てフィールド内に構成されず、省略されたＲＩＶの上位ビットのビット数ＸはＲＩＶのビット長から１０ビットを引いたビット数である。
【０２１１】
＜リソース割り当てに使用されるビット列の算出方法：方法３＞
リソース割り当てに使用されるビット列を削減する他の方法について説明する。図８Ｄは、第３の方法による、上りリンクグラントで割り当てられたリソースを示す概略的な図である。移動局装置は、上りリンクのシステム帯域ごとに、ＲＩＶの解釈を変更する。移動局装置での開始リソースブロック位置
【０２１２】
【数５９】
2010098707.tif 000061
は、ステップサイズ
【０２１３】
【数６０】
2010098707.tif 000062
【０２１４】
（開始リソースブロック位置の指定可能な単位）を使って、以下のように表現する。
【数６１】
2010098707.tif 000063
連続して割り当て可能なリソースブロック長を
【０２１５】
【数６２】
2010098707.tif 000064
とする。
【０２１６】
このとき、リソース割り当てに使用されるビット列ＲＩＶは、以下の式で与えられる。
【数６３】
2010098707.tif 000065
【０２１７】
【数６４】
2010098707.tif 000066
【０２１８】
【数６５】
2010098707.tif 000067
【０２１９】
このとき、ＲＩＶのビット長は、以下の式で与えられる。
【数６６】
2010098707.tif 000068
ビット（リソース割り当てフィールドの残りの上位ビットは０で埋められる）
【０２２０】
【数６７】
2010098707.tif 000069
【０２２１】
【数６８】
2010098707.tif 000070
とすると、
【０２２２】
【数６９】
2010098707.tif 000071
となるため、ＲＩＶのとりうる最大のビット長は、１０ビットとなる。別の言い方をすれば、
【０２２３】
【数７０】
2010098707.tif 000072
とすると、
【０２２４】
【数７１】
2010098707.tif 000073
となるように、
【０２２５】
【数７２】
2010098707.tif 000074
を選択すると、
【０２２６】
【数７３】
2010098707.tif 000075
となる。
【０２２７】
システム帯域幅が４５リソースブロック以上の場合、開始リソースブロック位置は、３リソースブロックごと（３の倍数の番号のリソースブロック）にしか指定できないように制限されている。連続リソースブロック長は、
【０２２８】
【数７４】
2010098707.tif 000076
以下しか指定できないように制限されている。
【０２２９】
移動局装置は、基地局装置から通知されたリソース割り当てフィールドの情報からＲＩＶを取得し、上記式から開始リソースブロック位置
【０２３０】
【数７５】
2010098707.tif 000077
、割り当てられた連続リソースブロック長
【０２３１】
【数７６】
2010098707.tif 000078
を特定し、特定した上りリンクのリソースブロックで上りリンクの送信を行う。
【０２３２】
さらに詳細に説明する。この場合は、図１０、図１１、図１２、図１３に示されるようにリソース割り当てフィールドが構成される。図１０に周波数ホッピングフラグ1ビットの値を１に設定しない場合（ここでは、周波数ホッピングフラグ１ビットの値が１の場合、ホッピングオン、０の場合ホッピングオフとして説明するが、逆の値でもよい）のリソース割り当てフィールドの構成を示す。リソース割り当てフィールドのビットはＲＩＶだけで構成され、ＲＩＶのビット長がリソース割り当てフィールドのビット長よりも短いときには、リソース割り当てフィールドのビット長と同じビット長になるまで０を挿入する。
【０２３３】
周波数ホッピングフラグ１ビットの値を１に設定した場合、周波数ホッピングビットを送信する方法として３つの方法がある。
【０２３４】
図１１に１つ目の方法のリソース割り当てフィールドの構成を示す。周波数ホッピングビットを
【０２３５】
【数７７】
2010098707.tif 000079
とすると、１つ目の方法は、周波数ホッピングビットのビット長とＲＩＶのビット長の和が１０ビット、つまり
【０２３６】
【数７８】
2010098707.tif 000080
のときに用いる。この方法では、リソース割り当てフィールドの上位ビットを周波数ホッピングビットとし、残りのビット列をＲＩＶとしてリソース割り当てフィールド１０ビットを構成する。リソース割り当てフィールドからリソース割り当てを特定するときは、リソース割り当てフィールドからそのまま周波数ホッピングビットとＲＩＶを抽出する。
【０２３７】
図１２に２つ目の方法のリソース割り当てフィールドの構成を示す。２つ目の方法は、周波数ホッピングビットのビット長とＲＩＶのビット長の和が１０ビットよりも短い、つまり
【０２３８】
【数７９】
2010098707.tif 000081
のときに用いる。この方法では、リソース割り当てフィールドの上位ビットを周波数ホッピングビットとし、リソース割り当てフィールドの下位ビットをＲＩＶとし、残りのビットを０で埋めてリソース割り当てフィールド１０ビットを構成する。リソース割り当てフィールドからリソース割り当てを特定するときは、リソース割り当てフィールドから０で埋められた領域を特定し、周波数ホッピングビットとＲＩＶを抽出する。
【０２３９】
図１３に３つ目の方法のリソース割り当てフィールドの構成を示す。３つ目の方法は、周波数ホッピングビットのビット長とＲＩＶのビット長の和が１０ビットよりも長い、つまり
【０２４０】
【数８０】
2010098707.tif 000082
のときに用いる。この方法では、リソース割り当てフィールドの上位ビットを周波数ホッピングビットとし、リソース割り当てフィールドの上位ビットから周波数ホッピングビットを引いた残りのビットをＲＩＶの下位ビットとしてリソース割り当てフィールド１０ビットを構成する。このとき、リソース割り当てフィールド内に構成されず、省略されたＲＩＶの上位ビットのビット数は次式から求められるように周波数ホッピングビットのビット長とＲＩＶのビット長から１０ビットを引いたビット数である。
【０２４１】
【数８１】
2010098707.tif 000083
【０２４２】
このようにリソース割り当てフィールドを構成することで、リソース割り当てフィールドにおいてＲＩＶとして使えるビット長が増えるため、連続して割り当て可能なリソースブロック長の制限を緩和することができる。
リソース割り当てフィールドからリソース割り当てを特定するときは、リソース割り当てフィールドに構成されなかったＲＩＶの上位ビットの値が０であると解釈し、周波数ホッピングフラグに依存せず同じ方法でＲＩＶの解釈をする。
【０２４３】
移動局装置は、ＲＩＶを特定すると、以下に示すように、開始リソースブロック位置
【数８２】
2010098707.tif 000084
、割り当てられた連続リソースブロック長
【０２４４】
【数８３】
2010098707.tif 000085
を特定方法する。
【０２４５】
【数８４】
2010098707.tif 000086
【０２４６】
【数８５】
2010098707.tif 000087
【０２４７】
【数８６】
2010098707.tif 000088
すなわち、開始リソースブロック位置を
【０２４８】
【数８７】
2010098707.tif 000089
ごとに制限し、連続して割り当て可能なリソースブロック長を制限することによって、ビット数を大幅に削減し、システム帯域に依存しないビット数にすることが可能となる。
【０２４９】
＜リソース割り当てに使用されるビット列の算出方法：方法４＞
リソース割り当てに使用されるビット列を削減する他の方法について説明する。図８Ｅは、第４の方法による上りリンクグラントで割り当てられたリソースを示す概略的な図である。
【０２５０】
移動通信システムの上りリンクでサポートされるシステム帯域幅の種類の最大のシステム帯域幅におけるリソースブロック数を
【０２５１】
【数８８】
2010098707.tif 000090
とする。移動局装置は、上りリンクのシステム帯域ごとに、ＲＩＶの解釈を変更する。移動局装置での開始リソースブロック位置
【０２５２】
【数８９】
2010098707.tif 000091
、割り当てられた連続リソースブロック長
【０２５３】
【数９０】
2010098707.tif 000092
を、ステップサイズ
【０２５４】
【数９１】
2010098707.tif 000093
（開始リソースブロック位置および連続リソースブロック長の指定可能な単位）を使って、以下のように表現する。
【０２５５】
【数９２】
2010098707.tif 000094
【０２５６】
【数９３】
2010098707.tif 000095
【０２５７】
このとき、リソース割り当てに使用されるビット列ＲＩＶは、以下の式で与えられる。
【数９４】
2010098707.tif 000096
【０２５８】
【数９５】
2010098707.tif 000097
【０２５９】
【数９６】
2010098707.tif 000098
【０２６０】
このとき、ＲＩＶのビット長は、以下の式で与えられる。
【数９７】
2010098707.tif 000099
ビット（残りの上位ビットは０で埋められる）
【０２６１】
【数９８】
2010098707.tif 000100
ビット（リソース割り当てフィールドの残りの上位ビットは０で埋められる）
【０２６２】
【数９９】
2010098707.tif 000101
【０２６３】
【数１００】
2010098707.tif 000102
となるため、ＲＩＶのとりうる最大のビット長は、１０ビットとなる。
【０２６４】
システム帯域幅が４５リソースブロック以上の場合、開始リソースブロック位置は、３リソースブロックごと（３の倍数の番号のリソースブロック）にしか指定できないように制限されている。連続リソースブロック長は、３リソースブロックごと（３の倍数の番号のリソースブロック）にしか指定できないように制限されている。
【０２６５】
移動局装置は、基地局装置から通知されたリソース割り当てフィールドの情報からＲＩＶを取得し、上記式から開始リソースブロック位置
【０２６６】
【数１０１】
2010098707.tif 000103
、割り当てられた連続リソースブロック長
【０２６７】
【数１０２】
2010098707.tif 000104
を特定し、特定した上りリンクのリソースブロックで上りリンクの送信を行う。移動局装置は、システム帯域幅が４５リソースブロック以上の場合、システム帯域が
【０２６８】
【数１０３】
2010098707.tif 000105
であるとして、ＲＩＶを解釈する。
【０２６９】
さらに詳細に説明する。この場合は、図９に示されるようにリソース割り当てフィールドが構成される。周波数ホッピングフラグ1ビットの値を１に設定しない場合（ここでは、周波数ホッピングフラグ１ビットの値が１の場合、ホッピングオン、０の場合ホッピングオフとして説明するが、逆の値でもよい）、リソース割り当てフィールドのビットはＲＩＶだけで構成され、ＲＩＶのビット長がリソース割り当てフィールドのビット長よりも短いときには、リソース割り当てフィールドのビット長と同じビット長になるまで０を挿入する。
【０２７０】
周波数ホッピングフラグ１ビットの値を１に設定した場合、周波数ホッピングフラグ１ビットの値を１に設定しない場合のＲＩＶのビット長よりも周波数ホッピングビットのビット長だけ短いビット長でＲＩＶの下位ビットをリソース割り当てフィールド上に構成する。上りリンクのシステム帯域幅が４９リソースブロック以下の場合には、周波数ホッピングビットは１ビット、５０リソースブロック以上の場合には周波数ホッピングビットは２ビットである。
【０２７１】
ＲＩＶの下位ビットのビット長と周波数ホッピングビットのビット長の和がリソース割り当てフィールドのビット長よりも短いときには、リソース割り当てフィールドのビット長と同じビット長になるまで０を挿入する。
【０２７２】
すなわち、ＲＩＶの下位ビットのビット長は周波数ホッピングフラグ１ビットの値を１に設定しない場合のＲＩＶのビット長から周波数ホッピングビットのビット長を引かれた残りのビットとなる。
【０２７３】
リソース割り当てフィールドからリソース割り当てを特定するときは、周波数ホッピングフラグと上りリンクのシステム帯域幅に応じてリソース割り当てフィールドから周波数ホッピングビットとＲＩＶの下位ビットのビット長を特定し、ホッピングビットとＲＩＶの下位ビットを取得する。ＲＩＶの上位ビットとして周波数ホッピングビットとして使われたビット数だけ、値が０のビットがあると解釈し、周波数ホッピングフラグに依存せず同じ方法でＲＩＶの解釈をする。
【０２７４】
移動局装置は、ＲＩＶを特定すると、以下に示すように、開始リソースブロック位置
【数１０４】
2010098707.tif 000106
、割り当てられた連続リソースブロック長
【０２７５】
【数１０５】
2010098707.tif 000107
の特定方法の例を示す。
【０２７６】
【数１０６】
2010098707.tif 000108
【０２７７】
【数１０７】
2010098707.tif 000109
すなわち、開始リソースブロック位置および連続リソースブロック長を
【０２７８】
【数１０８】
2010098707.tif 000110
ごとに制限し、システム帯域幅が４５リソースブロック以上の場合、システム帯域を
【０２７９】
【数１０９】
2010098707.tif 000111
に固定することによって、ビット数を大幅に削減し、システム帯域に依存しないビット数にすることが可能となる。
【０２８０】
また、上記に示したリソース割り当てに使用されるビット列の算出方法（指定方法）それぞれで、システム帯域幅が４５リソースブロック以上の場合に、
【数１１０】
2010098707.tif 000112
としたのは、移動通信システムの上りリンクでサポートされるシステム帯域幅の種類の最大のシステム帯域幅におけるリソースブロック数でのリソース割り当てフィールドがちょうど１０ビットになるだけでなく、上りリンクグラントで指定されるトランスポートブロックのサイズを５６に設定できるようにするためである。ランダムアクセス後の最初の上りリンク送信に使われるトランスポートブロックのサイズは、ランダムアクセス時に用いるプリアンブルＩＤのグループによって区別され、トランスポートブロックのサイズが５６か、５７以上かで選択されるプリアンブルＩＤが異なる。そのため、少なくともトランスポートブロックのサイズが５６となるような上りリンクグラントが指定可能でなければならない。上りリンクグラントで指定されるトランスポートブロックのサイズは、変調符号化方式とリソースブロックのリソース割り当てからテーブルを参照して算出され、トランスポートブロックのサイズが５６となるのは、リソースブロック数３で変調符号化方式００００の場合のみである。よって、このリソースブロック数３を指定できるようにするため、
【０２８１】
【数１１１】
2010098707.tif 000113
としている。
【０２８２】
また、上記に示したリソース割り当てに使用されるビット列の算出方法（指定方法）それぞれで、リソース割り当てフィールド１０ビットのすべてのビットを１に設定した値は、ＮＵＬＬグラントを示す値として利用する。すなわち、移動局装置は、ランダムアクセス応答の上りリンクグラントのリソース割り当てフィールドのビットがすべて１の場合、ランダムアクセス応答で指定される上りリンクの送信を行わない（通知しない）。または、さらに残りのフィールドも１にすることによって、上りリンクグラントのフィールドがすべて１に設定されている場合に、ＮＵＬＬグラントを示す値と判断しても良い。または、周波数ホッピングフラグがホッピングオフの場合かつリソース割り当てフィールド１０ビットがすべてのビット１に設定されている場合に、ＮＵＬＬグラントを示す値と判断しても良い。
【０２８３】
この上りリンクグラントは、下りリンク共用チャネル（ＤＬ−ＳＣＨ）に配置されるため、ＭＡＣ層でこのＮＵＬＬグラントを判断し、物理層に上りリンクグラントの処理を指示しないようにしても良いし、ＭＡＣ層は常に物理層に上りリンクグラントの処理を指示し、物理層でＮＵＬＬグラントを判断し、ＭＡＣ層にＮＵＬＬグラントであることを通知しても良い。
【０２８４】
上記のそれぞれの実施の形態においては、説明の都合上、基地局装置と移動局装置とが一対一の場合を例にして説明したが、基地局装置および移動局装置は複数であっても良い。また、移動局装置とは、移動する端末に限らず、基地局装置や固定端末に移動局装置の機能を実装することなどにより実現しても良い。上記のそれぞれの実施の形態における切り上げ関数、切り捨て関数、四捨五入関数、を互いに変更してもよい（例えば、切り捨て関数を切り上げ関数に変更するなど）。
【０２８５】
また、以上に説明したそれぞれの実施の形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行っても良い。尚、ここでいう「コンピュータシステム」とは、ＯＳや周辺機器等のハードウェアを含むものとする。
【０２８６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０２８７】
以上、この発明の実施の形態について図面を参照して詳述してきたが、具体的な構成はこれらの実施の形態に限られるものではなく、この発明の要旨を逸脱しない範囲の設計等も特許請求の範囲に含まれる。
【符号の説明】
【０２８８】
１００……基地局装置、１０１ａ、１０１ｂ…データ制御部、１０２ａ、１０２ｂ…ＯＦＤＭ変調部、１０３ａ、１０３ｂ…無線部、１０４…スケジューリング部、１０５…チャネル推定部、１０６…ＤＦＴ−Ｓ−ＯＦＤＭ復調部、１０７…データ抽出部、１０８…上位層、２００…移動局装置、２０１…データ制御部、２０２…ＤＦＴ−Ｓ−ＯＦＤＭ変調部、２０３ａ、２０３ｂ…無線部、２０４…スケジューリング部、２０５ａ、２０５ｂ…チャネル推定部、２０６ａ、２０６ｂ…ＯＦＤＭ復調部、２０７ａ、２０７ｂ…データ抽出部、２０８…上位層、３０１…物理マッピング部、３０２…参照信号生成部、３０３…同期信号生成部、３０４…変調部、３０５…ＩＦＦＴ部、３０６…ＣＰ挿入部、３０７…Ｄ／Ａ変換部、３０８…無線送信部、４０１…無線受信部、４０２…Ａ／Ｄ変換部、４０３…ＣＰ除去部、４０４…ＦＦＴ部、４０５…復調部、５０１…物理マッピング部、５０２…参照信号生成部、５０３…同期信号生成部、５０４−１、５０４−２…変調部、５０５−１、５０５−２…ＩＦＦＴ部、５０６−１、５０６−２…ＣＰ挿入部、５０７−１、５０７−２…Ｄ／Ａ変換部、５０８−１、５０８−２…無線送信部、６０１−１、６０１−２…無線受信部、６０２−１、６０２−２…Ａ／Ｄ変換部、６０３−１、６０３−２…バンド毎チャネル推定部、６０４−１、６０４−２…ＣＰ除去部、６０５−１、６０５−２…ＦＦＴ部、６０６−１、６０６−２…復調部、Ａ１、Ａ２…アンテナ部。
【図１８】
2010098707.tif 000114
【図１９】
2010098707.tif 000115
【図１】
2010098707.tif 000116
【図２】
2010098707.tif 000117
【図３】
2010098707.tif 000118
【図４】
2010098707.tif 000119
【図５】
2010098707.tif 000120
【図６】
2010098707.tif 000121
【図７】
2010098707.tif 000122
【図８Ａ】
2010098707.tif 000123
【図８Ｂ】
2010098707.tif 000124
【図８Ｃ】
2010098707.tif 000125
【図８Ｄ】
2010098707.tif 000126
【図８Ｅ】
2010098707.tif 000127
【図９】
2010098707.tif 000128
【図１０】
2010098707.tif 000129
【図１１】
2010098707.tif 000130
【図１２】
2010098707.tif 000131
【図１３】
2010098707.tif 000132
【図１４】
2010098707.tif 000133
【図１５】
2010098707.tif 000134
【図１６】
2010098707.tif 000135
【図１７】
2010098707.tif 000136